(57)【特許請求の範囲】
【請求項１】
光学系を介して被写体を撮像して、画素データとして蓄積して、読み出しモードに応じた所定のタイミングで、上記画素データを読み出して映像信号に変換する撮像手段と、
上記撮像手段から供給された映像信号に対して、垂直方向及び水平方向の輪郭補正のための設定値を切り替えるものであって、上記読み出しモードが飛び越し画素読み出しモードにおける動画モードおよび順次画素読み出しモードにおける動画モードまたは静止画モードの３つのモードの設定値を切り換えて輪郭補正処理を施す信号処理手段と、
上記撮像手段および上記信号処理手段に対して、上記読み出しモードに応じた制御信号を供給する制御手段と、
上記信号処理手段により生成された輪郭補正処理後の映像信号の画像を、上記読み出しモードにより表示させる表示手段と、
を備えたことを特徴とする映像信号処理装置。
【請求項２】
請求項１記載の映像信号処理装置において、
上記設定値は、上記飛び越し画素読み出しモードにおける動画モードのとき比較的小さな設定値とし、上記順次画素読み出しモードにおける静止画モードのとき比較的大きな設定値とし、上記順次画素読み出しモードにおける動画モードのとき比較的大きな設定値とすることを特徴とする映像信号処理装置。
【請求項３】
請求項２記載の映像信号処理装置において、
上記飛び越し画素読み出しモードにおける動画モードの比較的小さな設定値および上記順次画素読み出しモードにおける静止画モードの比較的大きな設定値は、垂直方向及び水平方向共に同じ値であることを特徴とする映像信号処理装置。
【請求項４】
請求項２記載の映像信号処理装置において、
上記順次画素読み出しモードにおける動画モードの比較的大きな設定値は、垂直方向及び水平方向のバランスを変えた値であることを特徴とする映像信号処理装置。
【請求項５】
撮像手段により、光学系を介して被写体を撮像して、画素データとして蓄積して、読み出しモードに応じた所定のタイミングで、上記画素データを読み出して映像信号に変換し、
信号処理手段により、上記撮像手段から供給された映像信号に対して、垂直方向及び水平方向の輪郭補正のための設定値を切り替えるものであって、上記読み出しモードが飛び越し画素読み出しモードにおける動画モードおよび順次画素読み出しモードにおける動画モードまたは静止画モードの３つのモードの設定値を切り換えて輪郭補正処理を施し、
制御手段により、上記撮像手段および上記信号処理手段に対して、上記読み出しモードに応じた制御信号を供給し、
表示手段により、上記信号処理手段により生成された輪郭補正処理後の映像信号の画像を、上記読み出しモードにより表示させる
ようにしたことを特徴とする映像信号処理方法。
【請求項６】
請求項５記載の映像信号処理方法において、
上記設定値は、上記飛び越し画素読み出しモードにおける動画モードのとき比較的小さな設定値とし、上記順次画素読み出しモードにおける静止画モードのとき比較的大きな設定値とし、上記順次画素読み出しモードにおける動画モードのとき比較的大きな設定値とすることを特徴とする映像信号処理方法。
【請求項７】
請求項６記載の映像信号処理方法において、
上記飛び越し画素読み出しモードにおける動画モードの比較的小さな設定値および上記順次画素読み出しモードにおける静止画モードの比較的大きな設定値は、垂直方向及び水平方向共に同じ値である
ことを特徴とする映像信号処理方法。
【請求項８】
請求項６記載の映像信号処理方法において、
上記順次画素読み出しモードにおける動画モードの比較的大きな設定値は、垂直方向及び水平方向のバランスを変えた値であることを特徴とする映像信号処理方法。
【発明の詳細な説明】
【０００１】
【発明の属する技術分野】
本発明は、テレビジョン受像機（以下、「テレビ」という。）用モニター／パーソナルコンピューター（以下、「パソコン」という。）用モニターに映像信号を表示させるための２種類の画素データの読み出しモードを有する映像信号処理装置及び映像信号処理方法に関する。
【０００２】
【従来の技術】
従来、カメラ一体型ビデオテープレコーダ（以下、「カメラ一体型ＶＴＲ」という。）は、カメラ部とＶＴＲ部とにより構成され、カメラ部により撮像された被写体の映像が電気信号に変換され、ＶＴＲ部により所定の信号処理を施された後に磁気テープに磁気記録されるようになされていた。そして、カメラ部で撮像された映像信号、またはＶＴＲ部で磁気テープに記録された映像信号は再生されてモニタに供給され、映像信号の画像を表示するようにしていた。
【０００３】
また、テレビジョン受像機により受信された映像信号は直接テレビ用モニタにより映像信号の画像を表示され、またはカメラ一体型ＶＴＲで撮像された映像信号は外部端子を介してテレビ用モニタに供給され、映像信号の画像を表示するようにしていた。このとき、テレビ用モニタで映像信号を表示する際の表示モードは、動画の表示に適した、１水平ライン毎に飛び越し操作をするインターレース走査モードにより行うことが一般的であった。
【０００４】
また、パソコン用モニタで上述した映像信号を表示させる際の表示モードは、水平ラインを順次走査するプログレッシブ走査モードにより行うことが一般的であった。このプログレッシブ走査モードは、水平ラインを順次走査するノンインターレース走査モードに対して、パソコン用モニタ上の静止画の表示に適したものである。
【０００５】
このようなテレビ用モニタまたはパソコン用モニタでは、モニタの前段の信号処理回路において、画像データのエッジ補正を行って画像をクリアにするためにアパーチャー補正を行っていた。
【０００６】
また、特開平５−８３６００（特願平３−２３８２８６号）号公報には、インターレース方式テレビジョン（ＮＴＳＣ，ＰＡＬなど）の規格におけるシステムに対しては、第１のアパコン信号処理回路を通して出力された第１の画質補正信号を用い、ノンインターレース方式テレビジョンの規格におけるシステムに対しては、第２のアパコン信号処理回路を通して出力された第２の画質補正信号を用いることができ、インターレース及びノンインターレースの各方式に応じてアパコン信号処理を夫々のシステムにおいて別々に行うことができる画質補正回路が開示されている。
【０００７】
【発明が解決しようとする課題】
しかし、インターレース走査モードのテレビ用モニタにおいて、例えば、動画の画像の再生状態が最適になるような設定値でアパーチャー補正を行って、同じ設定値のアパーチャー補正でプログレッシブ走査モードのパソコン用モニタにおいて、例えば、静止画の画像の再生をすると、非常にシャープネスのない映像になってしまい、逆に、プログレッシブ走査モードのパソコン用モニタで最適になるような設定値でアパーチャー補正を行って、同じ設定値のアパーチャー補正でインターレース走査モードのテレビ用モニタにおいて動画像の再生をすると、シャープネスが強すぎる映像となり、画像の表示品質が低下するという不都合があった。
【０００８】
本発明は以上の点を考慮してなされたもので、インターレース走査モードまたはプログレッシブ走査モードのそれぞれにおける動画または静止画に対して最適なアパーチャ補正を行うことができる映像信号処理装置及び映像信号処理方法を提案しようとするものである。
【０００９】
【課題を解決するための手段】
かかる課題を解決するため本発明の映像信号処理装置は、光学系を介して被写体を撮像して、画素データとして蓄積して、読み出しモードに応じた所定のタイミングで、上記画素データを読み出して映像信号に変換する撮像手段と、上記撮像手段から供給された映像信号に対して、垂直方向及び水平方向の輪郭補正のための設定値を切り替えるものであって、上記読み出しモードが飛び越し画素読み出しモードにおける動画モードおよび順次画素読み出しモードにおける動画モードまたは静止画モードの３つのモードの設定値を切り換えて輪郭補正処理を施す信号処理手段と、上記撮像手段および上記信号処理手段に対して、上記読み出しモードに応じた制御信号を供給する制御手段と、上記信号処理手段により生成された輪郭補正処理後の映像信号の画像を、上記読み出しモードにより表示させる表示手段とを備えたものである。
【００１０】
また、発明の映像信号処理方法は、撮像手段により、光学系を介して被写体を撮像して、画素データとして蓄積して、読み出しモードに応じた所定のタイミングで、上記画素データを読み出して映像信号に変換し、信号処理手段により、上記撮像手段から供給された映像信号に対して、垂直方向及び水平方向の輪郭補正のための設定値を切り替えるものであって、上記読み出しモードが飛び越し画素読み出しモードにおける動画モードおよび順次画素読み出しモードにおける動画モードまたは静止画モードの３つのモードの設定値を切り換えて輪郭補正処理を施し、制御手段により、上記撮像手段および上記信号処理手段に対して、上記読み出しモードに応じた制御信号を供給し、表示手段により、上記信号処理手段により生成された輪郭補正処理後の映像信号の画像を、上記読み出しモードにより表示させるようにしたものである。
【００１１】
本発明の映像信号処理装置によれば、以下の作用をする。
撮像手段における１水平ラインごとの順次画素データ読み出しモードであるプログレッシブ走査モードと、２水平ラインごとの飛び越し画素データ読み出しモードであるインターレース走査モードの２つの撮影モードに応じて、信号処理手段における画素データのエッジ補正を行うアパーチャ補正処理による画像強調処理の設定値を自動的に切り換える。
【００１２】
また、アパーチャ補正の画像強調処理の設定値は、ファクトリープリセットまたはユーザープリセットにおける所定操作により任意に設定可能である。
このようにして、プログレッシブ走査モードとインターレース走査モードの２つの撮影モードにおける動画または静止画に応じて、それぞれに最適なアパーチャー補正による画像強調処理をかけることができる。
【００１３】
【発明の実施の形態】
以下、適宜図面を参照しながら本発明の実施の形態を詳述する。本実施の形態の映像信号処理装置は、インターレース走査モードとプログレッシブ走査モードにおける動画または静止画に応じてアパーチャー補正のかけかたを変化させるものである。
【００１４】
図１は、本発明の実施の形態に係るカメラ一体型ＶＴＲの構成を示すブロック図である。
図１において、本発明の実施の形態のカメラ一体型ＶＴＲは、光学系を構成するレンズ１と、レンズにより集光された被写体の反射光を撮像して、画素データとして蓄積して、読み出しモードに応じた所定のタイミングで、画素データを読み出して映像信号に変換するＣＣＤ（チャージ・カップルド・デバイス）２と、ＣＣＤ２の画素データの読み出しのタイミング信号を供給するタイミングジェネレータ（ＴＧ）３と、映像信号の画素データをサンプリングホールドして自動ゲインコントロール処理を施すサンプリング及び自動ゲインコントロール回路４と、映像信号の画素データをアナログ値からディジタル値に変換するＡ／Ｄ変換器５とを有して構成される。
【００１５】
また、本発明の実施の形態のカメラ一体型ＶＴＲは、映像信号から輝度信号（Ｙ）と色信号（Ｃ）とを分離し、ＣＣＤ２の光電変換とモニタの電光変換における光強度を比例させるためにγ補正処理を施し、輝度信号（Ｙ）に対してインターレース走査モードまたはプログレッシブ走査モードにおける動画または静止画に応じた設定値のアパーチャー補正処理を施し、色信号（Ｃ）に対してホワイトバランス処理等の色処理を施すカメラ信号処理回路６と、プログレッシブ走査モードのとき１水平ライン毎に連続して読み出された映像信号の画素データを奇数ライン（ＯＤＤ）と偶数ライン（ＥＶＥＮ）とに分離するように信号処理を施してインターレース走査モードのときには映像信号をスルーさせるプログレッシブ信号処理回路７と、タイミングジェネレータ（ＴＧ）３にインターレース走査モードまたはプログレッシブ走査モードのタイミング信号を発生させる制御信号、およびカメラ信号処理回路６にインターレース走査モードまたはプログレッシブ走査モードに応じたアパーチャー補正処理の設定値を発生させるための制御信号を供給するマイクロコンピューター８とを有して構成される。
【００１６】
また、本発明の実施の形態のカメラ一体型ＶＴＲは、画像表示のための制御を行う表示制御回路９と、インターレース走査モードまたはプログレッシブ走査モードにより画像の表示を行い外部端子を介して切り換え接続可能なモニタ１０と、ＣＣＤ２により撮像される画像を確認のために表示するビューファインダー１１と、メモリに対して書き込み制御を行うメモリ制御回路１２と、モニタ１０に表示される静止画像を記録して着脱可能なメモリカード１３と、ＣＣＤ２により撮像される画像を磁気記録するための信号処理を行うＶＴＲ１４と、ＣＣＤ２により撮像される動画像を磁気記録して着脱可能なテープ１５とを有して構成される。
【００１７】
ここで、カメラ信号処理回路６、プログレッシブ信号処理回路７は、それぞれ単一のＩＣ（集積回路）で構成される。
【００１８】
また、特に、本実施の形態では、カメラ信号処理回路６は入力された映像信号の輝度信号（Ｙ）に対して垂直方向及び水平方向のアパーチャー補正のためのデータを、インターレース走査モードまたはプログレッシブ走査モードにおける動画または静止画に応じた設定値により付加するようにしている。なお、インターレース走査モードおよびプログレッシブ走査モードは、撮影のモードであるが、本実施の形態では、ＣＣＤ２における画素の読み出しに対しては、インターレース読み出しモードにおける動画モードおよびプログレッシブ読み出しモードにおける動画モードまたは静止画モードの３つのモードとなる。
【００１９】
このように構成された本実施の形態のカメラ一体型ＶＴＲは、以下のような動作をする。図２においては、２つのモードを単にインターレースモード／プログレッシブモードとして説明する。図２は、本実施の形態のインターレースモード／プログレッシブモードにおけるアパーチャー制御の動作を示すフローチャートである。
【００２０】
まず、ユーザーが、図示しないスイッチ等によってインターレースモードを選択すると、ステップＳ１でマイクロコンピューター８がインターレースモードであることを認識して、ステップＳ２でタイミングジェネレータ（ＴＧ）３とカメラ信号処理回路６を共にインターレースモードにする。これと同時に、垂直方向及び水平方向のアパーチャー補正用データがインターレース動画用の設定値となるように、マイクロコンピューター８はカメラ信号処理回路６に対して、制御信号を供給する。
【００２１】
具体的には、ＣＣＤ２はインターレースモードのタイミングで２水平ライン毎に飛び越し走査をするように画素データの読み出しを行い、ステップＳ３でアパーチャーの設定が、ステップＳ４で示すファクトリープリセットではなくて、ステップＳ５で示すユーザープリセットであるので、カメラ信号処理回路６はインターレース走査モードの動画モードに応じてユーザープリセットされた水平及び垂直方向共に比較的小さな設定値のアパーチャー補正処理を映像信号の輝度信号（Ｙ）に対して施す。
【００２２】
また、逆に、ユーザーが、図示しないスイッチ等によってプログレッシブモードを選択すると、ステップＳ１でマイクロコンピューター８がプログレッシブモードであることを認識して、ステップＳ６でタイミングジェネレータ（ＴＧ）３とカメラ信号処理回路６を共にプログレッシブモードにする。これと同時に、垂直方向及び水平方向のアパーチャー補正用データがプログレッシブ動画用または静止画用の設定値となるように、マイクロコンピューター８はカメラ信号処理回路６に対して、制御信号を供給する。
【００２３】
具体的には、ＣＣＤ２はプログレッシブモードのタイミングで１水平ライン毎に順次走査をするように画素データの読み出しを行い、ステップＳ７でアパーチャーの設定が、ステップＳ８で示すファクトリープリセットではなくて、ステップＳ９で示すユーザープリセットであるので、カメラ信号処理回路６はプログレッシブ走査モードの動画モードまたは静止画モードに応じてユーザープリセットされた水平または垂直方向のバランスを変えた比較的大きな設定値のアパーチャー補正処理を映像信号の輝度信号（Ｙ）に対して施す。例えば、プログレッシブ動画モードでは、水平方向の設定値を比較的小さくして、垂直方向の設定値を比較的大きくし、また、プログレッシブ静止画モードでは、水平及び垂直方向共に設定値を比較的大きくする。
【００２４】
また、ステップＳ４、Ｓ８のファクトリープリセットにおいては、２つのモードにおける動画または静止画に対する垂直方向及び水平方向のアパーチャー補正の設定値は、予め映像信号の再生時に最適となるように、マイクロコンピューター８のメモリに制御データとして記憶されていて、ユーザーが任意に変えることはできないが、ステップＳ５、Ｓ９のユーザープリセットにおいては、それぞれのモードについてユーザーが任意にアパーチャー補正の設定値を変えることができる。
【００２５】
これにより、インターレース走査モードのテレビ用モニタにおいて、例えば、動画の画像の再生状態が最適になるような水平及び垂直共に比較的小さな設定値でアパーチャー補正を行って、最適な動画の再生を行い、プログレッシブ走査モードのパソコン用モニタにおいて、例えば、静止画の画像の再生状態が最適になるような水平及び垂直共に比較的大きな設定値でアパーチャー補正を行って、最適な静止画の再生を行い、ぼやけがちな静止画の再生において、画像がクリアでシャープネスのきいた映像にすることができる。また、プログレッシブ走査モードのパソコン用モニタにおいて、動画の画像が最適になるように水平または垂直方向のバランスを変えた比較的大きな設定値でアパーチャー補正を行って、よりクリアな動画像の再生を行うことができる。
【００２６】
また、逆に、プログレッシブ走査モードのパソコン用モニタで最適になるような水平及び垂直共に比較的大きな設定値でアパーチャー補正を行って、最適な静止画の再生を行い、また、プログレッシブ走査モードのパソコン用モニタで最適になるように水平または垂直方向のバランスを変えた比較的大きな設定値でアパーチャー補正を行って最適な動画の再生を行い、インターレース走査モードのテレビ用モニタにおいて動画の画像の再生状態が最適になるような水平及び垂直共に比較的小さな設定値でアパーチャー補正を行って、動画の画像の再生を行って、シャープネスを下げて最適な映像となり、画像の表示品質を向上させることができる。
【００２７】
本実施の形態の映像信号処理装置は、光学系を介して被写体を撮像して、画素データとして蓄積して、読み出しモードに応じた所定のタイミングで、画素データを読み出して映像信号に変換する撮像手段としてのＣＣＤ２と、撮像手段から供給された映像信号に対して、読み出しモードにおける動画または静止画に応じた所定の設定値で切り換えて画像強調処理を施す信号処理手段としてのカメラ信号処理回路６と、撮像手段および信号処理手段に対して、読み出しモードに応じた制御信号を供給する制御手段としてのマイクロコンピューター８と、信号処理手段により生成された画像強調処理後の映像信号の画像を、読み出しモードにより表示させる表示手段としてのモニタ１０とを備えたので、画素データの読み出しモードに応じて最適な画像強調処理を施すことができ、これにより、表示手段により表示される画像の品質を向上させることができる。
【００２８】
また、本実施の形態の映像信号処理装置は、上述において、読み出しモードは、撮像手段としてのＣＣＤ２における１水平ラインごとの順次画素データ読み出しモードと、２水平ラインごとの飛び越し画素データ読み出しモードであるので、順次画素データ読み出しモードでは画像強調処理の設定値を比較的大きな値として画像を強調するように処理して静止画像の表示に適するようにし、飛び越しデータ読み出しモードでは、画像強調処理の設定値を比較的小さな値として画像を和らげるように処理して動画像の表示に適するようにすることができる。
【００２９】
また、本実施の形態の映像信号処理装置は、上述において、信号処理手段としてのカメラ信号処理回路６における画像強調処理は、画素データのエッジ補正を行うアパーチャ補正処理であるので、画素データ読み出しモードに応じて画像強調処理の設定値を比較的大きな値または比較的小さな値として画像を強調または和らげるように処理して、各読み出しモードに最適な画像の表示を行うことができる。
【００３０】
また、本実施の形態の映像信号処理装置は、上述において、信号処理手段としてのカメラ信号処理回路６における画像強調処理の設定値は、所定操作により任意に設定可能であるので、ユーザーの好みに応じて画像強調処理の設定値を比較的大きな値または比較的小さな値として画像を強調または和らげるように処理して、各ユーザーに最適な画像の表示を行うことができる。
【００３１】
また、本実施の形態の映像信号処理方法は、撮像手段としてのＣＣＤ２により、光学系を介して被写体を撮像して、画素データとして蓄積して、読み出しモードに応じた所定のタイミングで、画素データを読み出して映像信号に変換し、信号処理手段としてのカメラ信号処理回路６により、撮像手段から供給された映像信号に対して、読み出しモードにおける動画または静止画に応じた所定の設定値で切り換えて画像強調処理を施し、制御手段としてのマイクロコンピューター８により、撮像手段および信号処理手段に対して、読み出しモードに応じた制御信号を供給し、表示手段としてのモニタ１０により、信号処理手段により生成された画像強調処理後の映像信号の画像を、読み出しモードにより表示させるようにしたので、画素データの読み出しモードに応じて最適な画像強調処理を施すことができ、これにより、表示手段により表示される画像の品質を向上させることができる。
【００３２】
また、本実施の形態の映像信号処理方法は、上述において、読み出しモードは、撮像手段としてのＣＣＤ２における１水平ラインごとの順次画素データ読み出しモードと、２水平ラインごとの飛び越し画素データ読み出しモードであるので、順次画素データ読み出しモードでは画像強調処理の設定値を比較的大きな値として画像を強調するように処理して静止画像の表示に適するようにし、飛び越しデータ読み出しモードでは、画像強調処理の設定値を比較的小さな値として画像を和らげるように処理して動画像の表示に適するようにすることができる。
【００３３】
また、本実施の形態の映像信号処理方法は、上述において、信号処理手段としてのカメラ信号処理回路６における画像強調処理は、画素データのエッジ補正を行うアパーチャ補正処理であるので、画素データ読み出しモードに応じて画像強調処理の設定値を比較的大きな値または比較的小さな値として画像を強調または和らげるように処理して、各読み出しモードに最適な画像の表示を行うことができる。
【００３４】
また、本実施の形態の映像信号処理方法は、上述において、信号処理手段としてのカメラ信号処理回路６における画像強調処理の設定値は、所定操作により任意に設定可能であるので、ユーザーの好みに応じて画像強調処理の設定値を比較的大きな値または比較的小さな値として画像を強調または和らげるように処理して、各ユーザーに最適な画像の表示を行うことができる。
【００３５】
【発明の効果】
本発明の映像信号処理装置は、光学系を介して被写体を撮像して、画素データとして蓄積して、読み出しモードに応じた所定のタイミングで、上記画素データを読み出して映像信号に変換する撮像手段と、上記撮像手段から供給された映像信号に対して、上記読み出しモードにおける動画または静止画に応じた所定の設定値で切り換えて画像強調処理を施す信号処理手段と、上記撮像手段および上記信号処理手段に対して、上記読み出しモードに応じた制御信号を供給する制御手段と、上記信号処理手段により生成された画像強調処理後の映像信号の画像を、上記読み出しモードにより表示させる表示手段とを備えたので、画素データの読み出しモードに応じて最適な画像強調処理を施すことができ、これにより、表示手段により表示される画像の品質を向上させることができるという効果を奏する。
【００３６】
また、本発明の映像信号処理装置は、上述において、上記読み出しモードは、上記撮像手段における１水平ラインごとの順次画素データ読み出しモードと、２水平ラインごとの飛び越し画素データ読み出しモードであるので、順次画素データ読み出しモードでは画像強調処理の設定値を比較的大きな値として画像を強調するように処理して静止画像の表示に適するようにし、飛び越しデータ読み出しモードでは、画像強調処理の設定値を比較的小さな値として画像を和らげるように処理して動画像の表示に適するようにすることができるという効果を奏する。
【００３７】
また、本発明の映像信号処理装置は、上述において、上記信号処理手段における画像強調処理は、画素データのエッジ補正を行うアパーチャ補正処理であるので、画素データ読み出しモードに応じて画像強調処理の設定値を比較的大きな値または比較的小さな値として画像を強調または和らげるように処理して、各読み出しモードに最適な画像の表示を行うことができるという効果を奏する。
【００３８】
また、本発明の映像信号処理装置は、上述において、上記信号処理手段における画像強調処理の設定値は、所定操作により任意に設定可能であるので、ユーザーの好みに応じて画像強調処理の設定値を比較的大きな値または比較的小さな値として画像を強調または和らげるように処理して、各ユーザーに最適な画像の表示を行うことができるという効果を奏する。
【００３９】
また、本発明の映像信号処理方法は、撮像手段により、光学系を介して被写体を撮像して、画素データとして蓄積して、読み出しモードに応じた所定のタイミングで、上記画素データを読み出して映像信号に変換し、信号処理手段により、上記撮像手段から供給された映像信号に対して、上記読み出しモードにおける動画または静止画に応じた所定の設定値で切り換えて画像強調処理を施し、制御手段により、上記撮像手段および上記信号処理手段に対して、上記読み出しモードに応じた制御信号を供給し、表示手段により、上記信号処理手段により生成された画像強調処理後の映像信号の画像を、上記読み出しモードにより表示させるようにしたので、画素データの読み出しモードに応じて最適な画像強調処理を施すことができ、これにより、表示手段により表示される画像の品質を向上させることができるという効果を奏する。
【００４０】
また、本発明の映像信号処理方法は、上述において、上記読み出しモードは、上記撮像手段における１水平ラインごとの順次画素データ読み出しモードと、２水平ラインごとの飛び越し画素データ読み出しモードであるので、順次画素データ読み出しモードでは画像強調処理の設定値を比較的大きな値として画像を強調するように処理して静止画像の表示に適するようにし、飛び越しデータ読み出しモードでは、画像強調処理の設定値を比較的小さな値として画像を和らげるように処理して動画像の表示に適するようにすることができるという効果を奏する。
【００４１】
また、本発明の映像信号処理方法は、上述において、上記信号処理手段における画像強調処理は、画素データのエッジ補正を行うアパーチャ補正処理であるので、画素データ読み出しモードに応じて画像強調処理の設定値を比較的大きな値または比較的小さな値として画像を強調または和らげるように処理して、各読み出しモードに最適な画像の表示を行うことができるという効果を奏する。
【００４２】
また、本発明の映像信号処理方法は、上述において、上記信号処理手段における画像強調処理の設定値は、所定操作により任意に設定可能であるので、ユーザーの好みに応じて画像強調処理の設定値を比較的大きな値または比較的小さな値として画像を強調または和らげるように処理して、各ユーザーに最適な画像の表示を行うことができるという効果を奏する。
【図面の簡単な説明】
【図１】本発明の実施の形態に係るカメラ一体型ＶＴＲの構成を示すブロック図である。
【図２】本発明の実施の形態のインターレースモード／プログレッシブモードにおけるアパーチャー制御の動作を示すフローチャートである。
【符号の説明】
１‥‥レンズ、２‥‥ＣＣＤ、３‥‥タイミングジェネレータ（ＴＧ）、４‥‥サンプリングホールド及び自動ゲインコントロール回路（Ｓ／Ｈ，ＡＧＣ）、５‥‥Ａ／Ｄ変換器、６‥‥カメラ信号処理回路、７‥‥プログレッシブ信号処理回路、８‥‥マイクロコンピューター、９‥‥表示制御回路、１０‥‥モニタ、１１‥‥ビューファインダー、１２‥‥メモリ制御回路、１３‥‥メモリカード、１４‥‥ＶＴＲ、１５‥‥テープ
【図１】
0004099551.tif 000002
【図２】
0004099551.tif 000003